(57)【特許請求の範囲】
【請求項１】
産業用コンピュータ（１）の少なくとも一つの記憶媒体（１５）を収容するのに用いられる記憶媒体収容装置（３５）であって、
係合部分（２９）を有する少なくとも一つのガイド溝（２７、２８）を備える少なくとも一つの側壁（２０）を有する収容ユニット（１６）と、
前記少なくとも一つの記憶媒体（１５）が収容され、前記少なくとも一つのガイド溝（２７、２８）上で移動可能に支持するガイドレール（４４）を有し、前記収容ユニット（１６）に押し入れられた状態で、形状嵌合により前記係合部分（２９）に自動で嵌合するのに適する弾性変形可能な対応係合部分（４７）を有する少なくとも一つのフレームユニット（３３、３４）と、を有し、
前記対応係合部分（４７）は、前記対応係合部分（４７）と前記係合部分（２９）の係合を外すのに用いられるロック解除部品（４９）を有し、
前記少なくとも一つのフレームユニット（３３、３４）は、ギャップ（５７）を備える前壁（５２）を有し、前記ロック解除部品（４９）は操作されて、前記ギャップを貫通することを特徴とする記憶媒体収容装置（３５）。
【請求項２】
前記対応係合部分（４７）は、前記少なくとも一つのガイドレール（４４）上に設置されることを特徴とする請求項１に記載の記憶媒体収容装置（３５）。
【請求項３】
前記対応係合部分（４７）は、前記少なくとも一つのガイドレール（４４）と接続される弾性変形可能なバネ部分（５０）を有することを特徴とする請求項２に記載の記憶媒体収容装置（３５）。
【請求項４】
前記対応係合部分（４７）は、前記少なくとも一つのフレームユニット（３３、３４）の押し入れ状態で、前記係合部分（２９）に形状嵌合により嵌合するロック部品（４８）を有することを特徴とする請求項１から３のいずれか一項に記載の記憶媒体収容装置（３５）。
【請求項５】
前記ロック解除部品（４９）を操作し、前記少なくとも一つのフレームユニット（３３、３４）を前記収容ユニット（１６）から引き出すのに適するカバー部品（５８）をさらに備えることを特徴とする請求項１に記載の記憶媒体収容装置（３５）。
【請求項６】
前記少なくとも一つのガイド溝（２７、２８）は第一ガイド溝（２７）及び第二ガイド溝（２８）を備え、前記少なくとも一つのフレームユニット（３３、３４）は第一フレームユニット（３３）及び第二フレームユニット（３４）を備え、前記少なくとも一つの側壁（２０）は前記第一フレームユニット（３３）に用いられる前記第一ガイド溝（２７）及び前記第二フレームユニット（３４）に用いられる前記第二ガイド溝（２８）を有し、前記第一ガイド溝（２７）及び前記第二ガイド溝（２８）は、前記第一フレームユニット及び前記第二フレームユニットをこれらのフレームユニットが前記収容ユニットに押し入れる過程で互いに離れて動くように配置されることを特徴とする請求項１から５のいずれか一項に記載の記憶媒体収容装置（３５）。
【請求項７】
前記少なくとも一つの側壁（２０）は第一側壁（１９）及び第二側壁（２０）を備え、前記収容ユニット（１６）は、第一ガイド溝（２５）と第二ガイド溝（２６）を備える前記第一側壁（１９）及び前記第一ガイド溝（２７）と前記第二ガイド溝（２８）を備え、前記第一側壁（１９）と対向して配置された前記第二側壁（２０）を有し、前記第一フレームユニット（３３）は前記第一ガイド溝（２５、２７）上で両側のガイドを受け、前記第二フレームユニット（３４）は前記第二ガイド溝（２６、２８）上で両側のガイドを受けることを特徴とする請求項６に記載の記憶媒体収容装置（３５）。
【請求項８】
前記第二側壁（２０）の第一ガイド溝（２７）と第二ガイド溝（２８）上に一つの係合部分（２９）がそれぞれ設置されることを特徴とする請求項７に記載の記憶媒体収容装置（３５）。
【請求項９】
前記第一側壁（１９）と前記第二側壁（２０）の間に前記収容ユニット（１６）背面を密閉するプリント回路基板（１８）が設置され、前記プリント回路基板（１８）上に前記少なくとも一つの記憶媒体（１５）を差し込むのに用いられる少なくとも一つのプラグインコネクタ（３２）が設置されることを特徴とする請求項７または８に記載の記憶媒体収容装置（３５）。
【請求項１０】
前記少なくとも一つのフレームユニット（３３、３４）は第一ガイドレール（３９）を備える第一ガイドレール側壁（３６）及び第二ガイドレール（４４）を備える第二ガイドレール側壁（３７）を有し、前記少なくとも一つの記憶媒体（１５）は前記第一ガイドレール側壁（３６）と前記第二ガイドレール側壁（３７）の間に設置されることを特徴とする請求項１から９のいずれか一項に記載の記憶媒体収容装置（３５）。
【請求項１１】
請求項１から１０のいずれか一項に記載の記憶媒体収容装置（３５）を備えることを特徴とする産業用コンピュータ（１）。
【請求項１２】
産業用コンピュータ（１）の少なくとも一つの記憶媒体（１５）を収容するのに用いられる記憶媒体収容装置（３５）であって、
係合部分（２９）を有する少なくとも一つのガイド溝（２７、２８）を備える少なくとも一つの側壁（２０）を有する収容ユニット（１６）と、
前記少なくとも一つの記憶媒体（１５）が収容され、前記少なくとも一つのガイド溝（２７、２８）上で移動可能に支持するガイドレール（４４）を有し、前記収容ユニット（１６）に押し入れられた状態で、形状嵌合により前記係合部分（２９）に自動で嵌合するのに適する弾性変形可能な対応係合部分（４７）を有する少なくとも一つのフレームユニット（３３、３４）と、を有し、
前記少なくとも一つのガイド溝（２７、２８）は第一ガイド溝（２７）及び第二ガイド溝（２８）を備え、前記少なくとも一つのフレームユニット（３３、３４）は第一フレームユニット（３３）及び第二フレームユニット（３４）を備え、前記少なくとも一つの側壁（２０）は前記第一フレームユニット（３３）に用いられる前記第一ガイド溝（２７）及び前記第二フレームユニット（３４）に用いられる前記第二ガイド溝（２８）を有し、前記第一ガイド溝（２７）及び前記第二ガイド溝（２８）は、前記第一フレームユニット及び前記第二フレームユニットをこれらのフレームユニットが前記収容ユニットに押し入れる過程で互いに離れて動くように配置されることを特徴とする記憶媒体収容装置（３５）。
【請求項１３】
記憶媒体（１５）を産業用コンピュータ（１）の記憶媒体収容装置（３５）に収容する方法であって、
前記記憶媒体（１５）を前記記憶媒体収容装置（３５）のフレームユニット（３３、３４）に収容するステップ（Ｓ１）と、
前記フレームユニット（３３、３４）と共に前記記憶媒体（１５）を前記記憶媒体収容装置（３５）の収容ユニット（１６）に押し入れ、前記収容ユニット（１６）の側壁（２０）のガイド溝（２７、２８）上で前記フレームユニット（３３、３４）のガイドレール（４４）をガイドするステップ（Ｓ２）と、
前記フレームユニット（３３、３４）が一旦収容ユニット（１６）に押し入れられる状態で、前記フレームユニット（３３、３４）の弾性変形可能な対応係合部分（４７）が形状嵌合により前記ガイド溝（２７、２８）の係合部分（２９）に自動で嵌合するステップ（Ｓ３）と、
前記対応係合部分（４７）と前記係合部分（２９）のロックを解除するために、前記記憶媒体収容装置（３５）のカバー部品（５８）を前記対応係合部分（４７）に押し付けて、前記対応係合部分（４７）と前記係合部分（２９）の係合を外させ、前記カバー部品（５８）によって、前記フレームユニット（３３、３４）を前記収容ユニット（１６）から引き出す工程（Ｓ４）とを含むことを特徴とする方法。
【発明の詳細な説明】
【技術分野】
【０００１】
本発明は産業用コンピュータの少なくとも一つの記憶媒体の収容するのに用いられる記憶媒体収容装置、このような記憶媒体収容装置を有する産業用コンピュータ及び記憶媒体がこのような産業用コンピュータの記憶媒体収容装置に収容する方法に関する。
【背景技術】
【０００２】
産業用コンピュータまたは工業用コンピュータまたは略称ＩＰＣが指すのは、産業分野のタスクに用いられるコンピュータである。このような産業用コンピュータは堅固な筐体を有しており、該筐体は、特に、産業用コンピュータを環境要因（例、ホコリ）、電磁干渉及び／又は水分の影響を受けないように保護する。一般的にこのタイプの産業用コンピュータはプロセスの可視化、ロボット技術、工業自動化、測定及び試験ステージの操作モードなどに応用される。このような産業用コンピュータはオフィス内の設備に対して非常に堅固且つ故障が発生しにくいことが必須である。産業用コンピュータはハードディスクのような記憶媒体を有し、該記憶媒体は引き出し状のフレームユニットに収容され、該フレームユニットと共に産業用コンピュータの筐体に挿入することができる。
【先行技術文献】
【特許文献】
【０００３】
【特許文献１】ＵＳ２０１１／００３２６７０Ａ１
【特許文献２】ＵＳ２０１４／００２２７４０Ａ１
【特許文献３】ＵＳ２０１５／００１５１３１Ａ１
【特許文献４】ＵＳ２０１１／０２６５１２５Ａ１
【０００４】
ＵＳ２０１１／００３２６７０Ａ１は、コンピュータの記憶媒体を収容するのに用いられる装置を記述している。該装置は記憶媒体を移動式でガイドするのに用いられるレールを備える。該装置は記憶媒体を装置から引き出すための把持部分を有する固定ユニットをさらに備える。
【０００５】
同様に、ＵＳ２０１４／００２２７４０Ａ１は、コンピュータの記憶媒体を収容するのに用いられる装置を記述している。該装置は記憶媒体を移動式でガイドするのに用いられるレール及び記憶媒体を装置から取り出すための機構を備える。
【０００６】
同様に、ＵＳ２０１１５／００１５１３１Ａ１は、コンピュータの記憶媒体を収容するのに用いられる装置を記述している。該装置は記憶媒体を移動式でガイドするのに用いられるレールと、閉じることができる扉と、記憶媒体を突出させるのに用いられる突出ユニットと、を備える。
【０００７】
同様に、ＵＳ２０１１／０２６５１２５Ａ１は、コンピュータの記憶媒体を収容するのに用いられる装置を記述している。該装置は冷却空気を記憶媒体に偏向させるのに用いられるＶ形プレートを備える。
【発明の概要】
【発明が解決しようとする課題】
【０００８】
このような背景の下、本発明は、産業用コンピュータに用いられる改良型の記憶媒体収容装置を提供することを目的とする。
【課題を解決するための手段】
【０００９】
本発明は、産業用コンピュータの少なくとも一つの記憶媒体を収容するのに用いられる記憶媒体収容装置を提供する。前記記憶媒体収容装置は収容ユニットと少なくとも一つのフレームユニットを備え、前記収容ユニットは少なくとも一つのガイド溝を備える少なくとも一つの側壁を有し、前記少なくとも一つのガイド溝は係合部分を有する。前記少なくとも一つの記憶媒体は前記少なくとも一つのフレームユニットに収容され、前記少なくとも一つのフレームユニットは前記少なくとも一つのガイド溝上で移動可能に支持するガイドレールを有し、前記少なくとも一つのフレームユニットは弾性変形可能な対応係合部分を有し、且つ、前記対応係合部分は前記少なくとも一つのフレームユニットが前記収容ユニットに押し入れられた状態で、形状嵌合方法で前記係合部分に自動で嵌合するのに適する。
【００１０】
嵌合するまたは留まるは、以下のように理解されるべきである。前記少なくとも一つの対応係合部分が前記少なくとも一つの係合部分に嵌合するまたは留まり、局所的にそれを形状嵌合して嵌める。フレームユニットと収容ユニットは形状嵌合接続を構成し、摩擦接続ではない。形状嵌合接続は少なくとも二つの接続対象（ここでは係合部分及び対応係合部分）が相互に嵌って生じるものである。このようにすると、力の伝達が存在しないまたは力の伝達が中断した状況でも、接続対象は外れることはない。換言すると、形状嵌合接続が存在する状況では、そのうち一つの接続対象が別の接続対象の妨げとなる。したがって、係合部分と対応係合部分の間のロックを解除することでしか、即ち、対応係合部分の再度の弾性変形でしか、フレームユニットと収容ユニットの間の接続を解除することができない。
【００１１】
前記記憶媒体収容装置を収容装置または記憶媒体に用いられる収容装置と称してもよい。前記フレームユニットを収容装置から部分的または完全に引き出した引き出し状態から押し入れ状態に移ってもよい。この押し入れ状態は前記押し入れ状態の終了位置であることが好ましい。即ち、この押し入れ状態から出発して、フレームユニットを新たに収容ユニットから引き出すことしかできないが、それをその中にさらに押し入れることはできない。前記記憶媒体はハードドライブまたはハードディスクが好ましい。前記記憶媒体収容装置は前記記憶媒体を備えてもよい。好ましくは、複数（例えば二つ）のフレームユニットが設置され、各フレームユニットは一つの記憶媒体を収容する。
【００１２】
前記フレームユニットは前記収容ユニットと形状嵌合接続され、このようにすると、ねじのような、追加の固定ユニットを設置する必要が無い。また、嵌合することで、フレームユニットと収容ユニットの間で高速なセットアップと信頼性のある接続を実現する。
【００１３】
本発明の一つの実施形態において、前記対応係合部分は前記少なくとも一つのガイドレール上に設置される。
【００１４】
好ましくは、前記対応係合部分と前記ガイドレールの材料は単一なもので成形される。前記ガイドレールはヘッド部分及びこのヘッド部分と収容ユニットの側壁を形状嵌合接続させる接続部分を備えることが好ましい。好ましくは、前記対応係合部分は前記ヘッド部分から伸びる。
【００１５】
本発明の別の実施方式において、前記対応係合部分は前記少なくとも一つのガイドレールと接続される弾性変形可能なバネ部分を有する。
【００１６】
前記バネ部分は前記ガイドレールのヘッド部分と材料が単一なもので接続されることが好ましい。前記バネ部分は板バネ部品であることが好ましい。前記バネ部分は前記対応係合部分を前記係合部分の方へプレテンションして、前記対応係合部分を前記係合部分に自動で嵌合させる。前記バネ部分は好ましくはプラスチックから製造される。とりわけ、全体のフレームユニットはプラスチックから製造される。前記フレームユニットは例えば廉価で大量生産可能なプラスチック射出成形部品であってもよい。
【００１７】
本発明の別の実施方式において、前記対応係合部分はロック部品を有し、前記ロック部品は前記少なくとも一つのフレームユニットの押し入れ状態で前記係合部分に形状嵌合方法で嵌合する。
【００１８】
前記ロック部品はバックルでもよく、前記バックルは前記フレームユニットの押し入れ状態で前記バネ部分によって前記係合部分に押し付けられる。前記係合部分は前記側壁上または前記ガイド溝上に設置された凹みまたは穿孔であってもよい。
【００１９】
本発明の別の実施方式において、前記対応係合部分はロック解除部品を有し、前記対応係合部分と前記係合部分の係合を外すのに用いられる。
【００２０】
前記ロック解除部品はロッド状を呈することが好ましい。前記ロック解除部品は外の方へ移動、即ち、記憶媒体の反対向きに移動することで、ロック解除部品と係合部分を離れさせる。
【００２１】
本発明の別の実施方式において、前記少なくとも一つのフレームユニットはギャップを備える前壁を有し、前記ロック解除部品は操作されて、前記ギャップを貫通してもよい。
【００２２】
工具（例えばドライバー）または前記記憶媒体収容装置の取り外し可能なカバー部品によって、前記ロック解除部品を操作してもよい。このため、前記カバー部品が取り外され、ギャップを貫通させ、該カバー部品によってロック部材を一方の側、即ち、記憶媒体の反対の一方の側へ押し付ける。
【００２３】
本発明の別の実施方式において、前記記憶媒体収容装置はカバー部品をさらに備え、前記カバー部品は前記ロック解除部品を操作し、前記少なくとも一つのフレームユニットを前記収容ユニットから引き出すのに適する。
【００２４】
このため、前記カバー部品は係合部分を備えてもよい。前記係合部分が横向きに前記前壁を貫通するギャップの凹みは該ギャップに導入される。前記係合部分はこのようにして前壁に形状嵌合方法で嵌合し、前記カバー部品によって前記少なくとも一つのフレームユニットのロックが解除された後、前記収容ユニットから引き出される。
【００２５】
本発明の別の実施方式において、前記少なくとも一つのガイド溝は第一ガイド溝及び第二ガイド溝を備え、前記少なくとも一つのフレームユニットは第一フレームユニット及び第二フレームユニットを備え、前記少なくとも一つの側壁は第一フレームユニットに用いられる第一ガイド溝及び第二フレームユニットに用いられる第二ガイド溝を有し、前記第一ガイド溝及び前記第二ガイド溝は、前記第一フレームユニット及び前記第二フレームユニットをこれらのフレームユニットが前記収容ユニットに押し入れる過程で互いに離れて動くように配置される。
【００２６】
このため、前記ガイド溝は、弧の形状または階段状を呈してもよい。前記フレームユニットは、それを収容ユニットに押し入れられる過程で互いに離れて動き、このようにすると、その間で冷却空気を流すギャップを形成することができる。そして、記憶媒体の過熱を確実に防止する。
【００２７】
本発明の別の実施方式において、前記少なくとも一つの側壁は第一側壁及び第二側壁を備え、前記収容ユニットは、第一ガイド溝と第二ガイド溝を備える第一側壁及び第一ガイド溝と第二ガイド溝を備える前記第一側壁と対向して配置された第二側壁を有し、前記第一フレームユニットは前記第一ガイド溝上で両側のガイドを受け、前記第二フレームユニットは前記第二ガイド溝上で両側のガイドを受ける。
【００２８】
前記側壁は、前記収容ユニットの底部によって接続されてもよい。好ましくは、前記側壁と前記底部はプレート折り曲げ部品／パンチ部品に一体成型される。このようにすると、製造コストを大幅に低減することができる。前記底部は前記産業用コンピュータの筐体構造（特にアクセサリ収容筐体）と固定接続される。
【００２９】
本発明の別の実施方式において、前記第二側壁の第一ガイド溝と第二ガイド溝上に一つの係合部分がそれぞれ設置される。
【００３０】
好ましくは、前記ガイド溝はそれぞれ前記係合部分の前に配置される凹みを一つ有し、前記ガイドレールは前記ガイド溝を貫通する過程において、対応する対応係合部分は前記凹みを貫通してもよい。
【００３１】
本発明の別の実施方式において、前記第一側壁と前記第二側壁の間に前記収容ユニット背面を密閉するプリント回路基板が設置され、前記プリント回路基板上に前記少なくとも一つの記憶媒体を差し込むのに用いられる少なくとも一つのプラグインコネクタが設置される。
【００３２】
複数（例えば二つ）のプラグインコネクタが設置され、そのうち、各記憶媒体はいずれも一つのプラグインコネクタが分配される。前記プラグインコネクタは所謂ＳＡＴＡプラグインコネクタであってもよい。前記プリント回路基板は別のプラグインコネクタをさらに有し、該プリント回路基板と産業用コンピュータのメインボードまたはマザーボードと接続しやすくしてもよい。
【００３３】
本発明の別の実施方式において、前記少なくとも一つのフレームユニットは第一ガイドレールを備える第一ガイドレール側壁及びは第二ガイドレールを備える第二ガイドレール側壁を有し、前記少なくとも一つの記憶媒体は前記第一ガイドレール側壁と前記第二ガイドレール側壁の間に設置されてもよい。
【００３４】
好ましくは、前記第二ガイドレール上に対応係合部分が設置されてもよい。選択可能に、前記第一ガイドレール上にも対応係合部分が設置されてもよい。この場合には、前記第一ガイドレール側壁のガイド溝も係合部分を備える。好ましくは、前記第一ガイドレール側壁は前記少なくとも一つの記憶媒体を支持するのに用いられる支持部分によって前記第二ガイドレール側壁と接続される。前記記憶媒体は前記支持部分に貼り付けられてもよい。前記ガイドレール側壁、前記前壁、前記支持部分は前記フレームユニットの一つのフレーム状の幾何構造を形成する。前記記憶媒体は固定部品（例えば、ねじ）によってガイドレール側壁の間に固定される。
【００３５】
本発明はこのような記憶媒体収容装置を有する産業用コンピュータをさらに提供する。
【００３６】
前記産業用コンピュータは前記記憶媒体収容装置を設置するための筐体装置を有する。さらに、前記産業用コンピュータは記憶媒体を一つまたは複数備えてもよい。
【００３７】
本発明は記憶媒体を産業用コンピュータの記憶媒体収容装置に収容する方法をさらに提供する。前記方法は、前記記憶媒体を前記記憶媒体収容装置のフレームユニットに収容するステップと、前記フレームユニットと共に前記記憶媒体を前記記憶媒体収容装置の収容ユニットに押し入れ、前記収容ユニットの側壁のガイド溝上で前記フレームユニットのガイドレールをガイドするステップと、前記フレームユニットが一旦収容ユニットに押し入れられる状態で、前記フレームユニットの弾性変形可能な対応係合部分が形状嵌合方法で前記ガイド溝の係合部分に自動で嵌合するステップを含む。
【００３８】
前記方法は前記記憶媒体を前記フレームユニット上に固定するステップをさらに含む。前記方法を採用する時、複数のフレームユニットの収容ユニットに押し入れられる。
【００３９】
本発明の別の実施方式において、前記対応係合部分と前記係合部分のロックを解除するために、前記記憶媒体収容装置のカバー部品を前記対応係合部分に押し付けて、前記対応係合部分と前記係合部分の係合を外させ、前記カバー部品によって、前記フレームユニットを前記収容ユニットから引き出す。
【００４０】
前記方法は前記記憶媒体収容装置上から前記カバー部品を取り外すステップを更に含んでもよい。取り外されたカバー部品をフレームユニットの前壁のギャップを貫通させて導入し、ロック解除部品を一方の側へ押し付け、対応係合部分と係合部分の係合を外す。それから、フレームユニットを収容ユニットから引き出す。
【００４１】
上文または下文の実施形態で説明された特徴または実施形態において、幾つかの組合わせは本願で明確にしておらず、その中には、前記記憶媒体収容装置、前記産業用コンピュータ及び／又は前記方法のその他の実施可能な実施形態も含む。当業者は前記記憶媒体収容装置、前記産業用コンピュータ及び／又は前記方法の基本形態について独立した特徴で形式的に提出された変更または補充試案も本発明のその他の実施可能な実施形態に属する。
【００４２】
前記記憶媒体収容装置、前記産業用コンピュータ及び／又は前記方法のさらに多くの有利な設計試案及び特徴は、従属請求項及び前記記憶媒体収容装置、前記産業用コンピュータ及び／又は前記方法の実施形態を参照すること。    
【発明の効果】
【００４３】
本発明は記憶媒体収容装置、産業用コンピュータ及び／又は方法を提供する。
【００４４】
本発明の上述した特徴と利点を更に明確化するために、以下、図面が示す好ましい実施例を組み合わせて、前記記憶媒体収容装置、前記産業用コンピュータ及び／又は前記方法を詳細に説明する。
【図面の簡単な説明】
【００４５】
【図１】産業用コンピュータの実施方式の模式的な斜視図である。
【図２】図１が示す産業用コンピュータの記憶媒体収容装置の実施方式の模式的な斜視図である。
【図３】図２が示す記憶媒体収容装置の収容ユニットの実施方式の模式的な斜視図である。
【図４】図３中のＩＶの詳細図である。
【図５】図２が示す記憶媒体収容装置の別の模式的な斜視図である。
【図６】図２が示す記憶媒体収容装置に用いられるフレームユニットの実施方式の模式的な斜視図である。
【図７】図６が示すフレームユニットの模式的な平面図である。
【図８】図６が示すフレームユニットの別の模式的な平面図である。
【図９】図２が示す記憶媒体収容装置に用いられるカバー部品の実施方式の模式的な斜視図である。
【図１０】図２が示す記憶媒体収容装置の模式的な側面図である。
【図１１】記憶媒体を図１が示す産業用コンピュータの記憶媒体収容装置に収容する方法の実施方式の模式的なブロック図である。
【発明を実施するための形態】
【００４６】
別に説明される場合を除き、図面において、同じ又は機能が同じ部品は同一の符合で表される。
【００４７】
図１は産業用コンピュータ１の実施方式の模式的な斜視図である。産業用コンピュータ１、工業用コンピュータ、略称ＩＰＣまたはＩｎｄｕｓｔｒｉｅｒｅｃｈｕｎｅｒが指すのは、産業分野のタスクに用いられるコンピュータである。特にＩＢＭの互換ＰＣに類似し、且つ、特に、このタイプの装置が対象とするソフトウェア開発に用いられるコンピュータを指す。このような産業用コンピュータ１のよく見られる応用範囲は、プロセスの可視化、ロボット技術、工業自動化、測定及び試験ステージの操作モード、安全技術または品質保証である。産業用コンピュータ１はオフィス内の設備に対して特殊な要求を満たすことが必須であり、一般的に環境要因または電磁干渉の影響を受けず、且つ、全体的に故障が発生しにくいことである。
【００４８】
産業用コンピュータ１はモジュール式筐体装置２を備える。モジュール式筐体装置２が指すのは複数のユニットモジュールから構成されている装置であり、これらのユニットは特に、工具を必要とせず、互いに分解及び接続することができる。筐体装置２はここでは一つの方形の冷却筐体３、一つの方形の電子デバイス収容筐体４、少なくとも一つの方形のアクセサリ収容筐体５を有する。筐体装置２は複数のこのタイプのアクセサリ収容筐体５及び／又は複数の電子デバイス収容筐体４を備えてもよい。図１の方向では、電子デバイス収容筐体４はアクセサリ収容筐体５の上に配置され、冷却筐体３は電子デバイス収容筐体４の上に配置されることから、電子デバイス収容筐体４は冷却筐体３とアクセサリ収容筐体５の間に配置される。
【００４９】
電子デバイス収容筐体４は、メインボードまたはマザーボード、プロセッサ又はＣＰＵ或いは産業用コンピュータ１のその他の電子部品のような電子部品を収容するのに適する。冷却筐体３は電子デバイス収容筐体４に収容された電子部品を冷却するのに適する。アクセサリ収容筐体５は、ディスクドライブ、ハードディスク、電源部品及び／又はメインボードと接続される追加の回路基板のような産業用コンピュータ１の追加部品を収容するのに適する。冷却筐体３、電子デバイス収容筐体４及び／又はアクセサリ収容筐体５は、プラスチックで製造されてもよい。冷却筐体３はそこに挿入したり、中から取り出すことができる冷却ユニット６を備える。冷却ユニット６はファン７、８を備える。ファン７、８の数は任意である。例えば、二つのファン７、８を設置してもよい。
【００５０】
図２はアクセサリ収容筐体５の実施方式の模式的な斜視図である。アクセサリ収容筐体５は底部９と二つの対向して配置された側壁１０、１１を有する。第一側壁１０は冷却溝１２を備えてもよい。第二側壁１１は開口部または穿孔１３、１４を有する。アクセサリ収容筐体５は（例えば二つの）記憶媒体１５を収容してもよく、図２はそのうちの一つのみを示す。これらの記憶媒体１５は上下に重ねられる。記憶媒体１５はハードドライブまたはハードディスクでもよい。
【００５１】
記憶媒体１５は冗長情報を記憶することができる。即ち、記憶媒体１５は所謂ＲＡＩＤシステムを形成する。ＲＡＩＤは英語の概念“Ｒｅｄｕｎｄａｎｔ Ａｒｒａｙ ｏｆ Ｉｎｄｅｐｅｎｄｅｎｔ Ｄｉｓｋｓ”（リダンダント・アレイ・オブ・インディペンデント・ディスクズ）の頭文字で省略語である。ＲＡＩＤシステムは複数の実態大容量メモリ構成を一つのロジックハードディスクドライブにして、それは、一つの実体記憶媒体と比べて、さらに高いフェールセーフまたはさらに大きなデータスループットを有する。コンピュータにおける従来技術及びアプリケーションプログラムの目的は冗長性を防ぐことであり、ＲＡＩＤシステムは冗長情報を対象的に生成し、一つの記憶媒体が故障した場合、該ＲＡＩＤはその完全性と機能性を保持するものされ、故障部品を取り替えた後に復元されることで初期状態に戻すことができる。
【００５２】
アクセサリ収容筐体５に、図３に同様に図示されている記憶媒体１５を収容するのに用いられる収容ユニット１６が設置される。収容ユニット１６は矩形底部１７を有する。底部１７はフレーム状を呈し、中心に凹みを有する。収容ユニット１６は、回路基板またはプリント回路基板１８からなる後壁をさらに有する。底部１７の辺縁上に第一側壁１９及び第二側壁２０がそれぞれ設置される。収容ユニット１６は背面上でプリント回路基板１８によって密閉される。
【００５３】
側壁１９、２０の上面上で底面１７に平行に延伸した屈曲部２１、２２がそれぞれ設置される。各側壁１９、２０は一つの側面部２３、２４をさらにそれぞれ備え、対応する側壁１９、２０に垂直であり、底部１７と反対向きである。第一側壁１９は側面部２３と反対向きで且つ底面１７に略平行に延伸した第一ガイド溝２５及び第二ガイド溝２６を有する。第二側壁２０は同様に第一ガイド溝２７及び第二ガイド溝２８を有する。これらの第一ガイド溝２５、２７及び第二ガイド溝２６、２８はそれぞれ対応して配置される。
【００５４】
図４に示すように、第二側壁２０の第一ガイド溝２７及び第二ガイド溝２８は、側面部２４を向く末端上に第一矩形凹みまたは係合部分２９及び第二矩形凹み３０をそれぞれ有する。対向する側面部２４にとって、第二凹み３０は係合部分２９と側面部２４の間に配置される。係合部分２９と第二凹み３０はガイド溝２７、２８の拡張部を形成する。第二凹み３０は側面部２４に及ぶ。第一側壁１９のガイド溝２５、２６は同様に側面部２４に及ぶ。
【００５５】
背面プリント回路基板１８はプリント回路基板１８と別の電子部品（主にメインボードまたはマザーボード）を接続する電子プラグインコネクタ３１を有する。プリント回路基板１８上にプリント回路基板１８と記憶媒体１５を接続する電子プラグインコネクタ３２をさらに備える。電子プラグインコネクタ３２は所謂ＳＡＴＡプラグインコネクタであってもよい。Ｓｅｒｉａｌ  Ａｄｖａｎｃｅｄ  Ｔｅｃｈｎｏｌｏｇｙ  Ａｔｔａｃｈｍｅｎｔ（シリアルアドバンストテクノロジーアタッチメント、ＳＡＴＡ）は主にプロセッサとハードディスクの間のデータ交換を対象として研究開発された接続技術である。収容ユニット１６をアクセサリ収容筐体５上に取り付けるために、底部１７とアクセサリ収容筐体５の底部９が接続されてもよい。この場合、側面部２３、２４はアクセサリ収容筐体５に設置された側壁１１の穿孔１３を向いている。
【００５６】
記憶媒体１５は第一フレームユニット３３及び第二フレームユニット３４に収容され、図２と図５に示すように、これらのフレームユニットはガイド溝２５〜２８に沿って引き出し式で収容ユニット１６に押し入れたり、該収容ユニット１６から引き出したりすることができる。収容ユニット１６とフレームユニット３３、３４は産業用コンピュータ１の記憶媒体収容装置３５を形成する。記憶媒体収容装置３５は該記憶媒体１５または複数の記憶媒体１５を備えてもよい。
【００５７】
第一フレームユニット３３と第二フレームユニット３４は構造が同じである。したがって、以下に第一フレームユニット３３についてのみ説明を行う。図６及び図７に示すように、第一フレームユニット３３は二つのガイドレール側壁３６、３７を有する。各ガイドレール側壁３６、３７上に二つの固定部品３８がそれぞれ設置される。固定部品３８はＭ２．５のねじ山を有する条ねじであってもよい。固定部品３８によって記憶媒体１５をガイドレール側壁３６、３７の間に固定させることができる。第一フレームユニット３３は例えば、プラスチック射出成形部品とするプラスチックから製造されてもよい。
【００５８】
第一ガイドレール側壁３６は第一ガイドレール３９を有し、該第一ガイドレール３９はヘッド部分４０及びこのヘッド部分４０と第一ガイドレール側壁３６とを接続させる接続部分４１を備える。したがって、第一ガイドレール３９はキノコ状の横断面を有する。ヘッド部分４０は端部に設置された導入斜面４２、４３をさらに備える。第二ガイドレール側壁３７は第二ガイドレール４４を有する。第二ガイドレール４４は同様にヘッド部分４５及びこのヘッド部分４５と第二ガイドレール側壁３７とを接続させる接続部分４１を有する。
【００５９】
第二ガイドレール４４も導入斜面４３を有する。第二ガイドレール４４と第一ガイドレール３９の差異は、該第二ガイドレール４４は弾性変形可能なロック部分または対応係合部分４７を有する。対応係合部分４７はフック形状を呈し、ガイド溝２７、２８の対応する係合部分２９に形状嵌合方法で嵌合するのに適する。このため、対応係合部分４７はロック部品４８を備え、図８に示すように、該ロック部品４８は第一フレームユニット３３の収容ユニット１６に完全に押し入れられた状態で係合部分２９に形状嵌合方法で嵌合する。対応係合部分４７はロッド状のロック解除部品４９をさらに備え、それは操作を受けた時に、ロック部品４８と係合部分２９の係合が外れるのに適する。ロック解除部品４９はロック部品４８上に設置される。ロック部品４８は弾性変形可能なバネ部分５０によってヘッド部分４５と一体的に接続される。
【００６０】
第一フレームユニット３３はこれらのガイドレール側壁３６、３７を接続させる支持部分５１をさらに備える。支持部分５１は記憶媒体１５を支持することができる。第一フレームユニット３３は前壁５２をさらに備える。前壁５２、ガイドレール側壁３６、３７及び支持部分５１によって一つのフレーム状の幾何構造が形成される。前壁５２は中空を呈し、且つ、補強リブを有する壁部分５３が配置される。記憶媒体１５は壁部分５３の内側に貼り付けられてもよい、即ち、支持部分５１の側を向いている。壁部分５３の正面上に第一フレームユニット３３を把持するのに用いられるプレート状の把持部分５４が設置される。把持部分５４は多辺形を呈してもよい。
【００６１】
把持部分５４の両側上に第一キャビティ５５及び第二キャビティ５６が設置される。図６及び図７に示すように、これらのキャビティ５５、５６は上方を向いてさらされている。これらのキャビティ５５、５６は補強機能を有する。第二キャビティ５６に前記対応係合部分４７が配置される。第二キャビティ５６は横向きにさらされ、対応係合部分４７がその中に嵌合しやすいようにする。前壁５２及び特に第二キャビティ５６は正面上にギャップ５７を有し、ロック解除部品４９は操作されて、前記ギャップを貫通し、ロック部品４８を解除しやすいようにする。
【００６２】
第一フレームユニット３３上に前面取り付けが可能な図９に示すプレート状のカバー部品５８を使用して、ロック解除部品４９を操作してもよい。このため、カバー部品５８を取り外して、それをギャップ５７に貫通させて、ロック解除部品４９を外側の方へ第二ガイドレール側壁３７に押し付けてもよい。このようにしてロック部品４８と係合部分２９の係合を外させて、第一フレームユニット３３と記憶媒体１５を共に収容ユニット１６から引き出しやすいようにする。収容ユニット１６から第一フレームユニット３３を引き出すために、カバー部品５８は係合部分５９を備えてもよい。係合部分５９が横向きに貫通するギャップ５７の凹み６０（図６）は該ギャップに導入される。この場合、係合部分５９は前壁５２に形状嵌合して嵌め、このようにすると、カバー部品５８によって第一フレームユニット３３のロック解除後、それを収容ユニット１６から引き出すことができる。
【００６３】
図１０に示すように、フレームユニット３３、３４を収容ユニット１６に押し入れて、記憶媒体１５を記憶媒体収容装置３５に収容しやすいようにする。ガイドレール３９、４４上の導入斜面４３はガイド溝２５から２８を貫通するのに寄与する。ガイド溝２５から２８はいずれも側面部２３、２４に及び、このようにすると、ガイドレール３９、４４をガイド溝２５から２８に簡単に導入することができる。図１０中の矢印６１が示すように、第一ガイド溝２５、２７はある構成試案を用いて、第一フレームユニット３３を収容ユニット１６に押し入れる時、該第一フレームユニット３３を底部１７に向かって移動させる。図１０の矢印６２が示すように、第二ガイド溝２６、２８はある構成試案を用いて、第二フレームユニット３４を収容ユニット１６に押し入れる時、該第二フレームユニット３４を底部１７の反対方向に向かって移動させる。このようにすると、フレームユニット３３、３４の間に空気を循環させるのに足りる空間を確保することができる。記憶媒体１５の過熱を防止する。フレームユニット３３、３４が一旦収容ユニット１６に完全に押し入れられると、ロック部品４８は係合部分２９に嵌合し、フレームユニット３３、３４は収容ユニット１６に固定される。
【００６４】
図１１は該記憶媒体１５または複数の記憶媒体１５が記憶媒体収容装置３５に収容する方法の実施形態の模式的なブロック図である。前述の方法は、該記憶媒体１５または複数の記憶媒体１５が記憶媒体収容装置３５の対応するフレームユニット３３、３４に収容するステップＳ１を含む。前述の方法はフレームユニット３３、３４を対応する記憶媒体１５と共に収容ユニット１６に押し入れるステップＳ２をさらに含み、収容ユニット１６の第二側壁２０のガイド溝２７、２８上で前記フレームユニット３３、３４の対応する第二ガイドレール４４にガイドする。
【００６５】
前記方法はステップＳ３をさらに含む。対応するフレームユニット３３、３４が一旦収容ユニット１６に押し入れられる状態で、弾性変形可能な対応係合部分４７をガイド溝２７、２８の対応する係合部分２９に自動で嵌合する。前記方法もカバー部品５８によって対応係合部分４７と係合部分２９のロックを解除する選択可能なステップＳ４を含んでもよく、カバー部品５８を対応係合部分４７に押し付けて、該対応係合部分４７と係合部分２９の係合を外させる。任意のその他の工具（例えばドライバー）を工程Ｓ４に応用してもよい。
【００６６】
本文は以上の実施例のように示したが、これに限られるものではなく、当業者が本発明の精神の範囲から逸脱しない範囲において、変更又は修正することが可能であるが故に、本発明の保護範囲は均等の範囲にまで及ぶものとする。
【産業上の利用可能性】
【００６７】
本発明は、産業用コンピュータに用いられる改良型の記憶媒体収容装置を提供する。
【符号の説明】
【００６８】
１：産業用コンピュータ
２：筐体装置
３：冷却筐体
４：電子デバイス収容筐体
５：アクセサリ収容筐体
６：冷却ユニット
７：ファン
８：ファン
９：底部
１０：側壁
１１：側壁
１２：冷却溝
１３：穿孔
１４：穿孔
１５：記憶媒体
１６：収容ユニット
１７：底部
１８：プリント回路基板
１９：第一側壁
２０：第二側壁
２１：屈曲部
２２：屈曲部
２３：側面部
２４：側面部
２５：ガイド溝
２６：ガイド溝
２７：ガイド溝
２８：ガイド溝
２９：係合部分
３０：凹み
３１：プラグインコネクタ
３２：プラグインコネクタ
３３：フレームユニット
３４：フレームユニット
３５：記憶媒体収容装置
３６：ガイドレール側壁
３７：ガイドレール側壁
３８：固定部品
３９：ガイドレール
４０：ヘッド部分
４１：コネクタ部分
４２：導入斜面
４３：導入斜面
４４：ガイドレール
４５：ヘッド部分
４６：コネクタ部分
４７：対応係合部分
４８：ロック部品
４９：ロック解除部品
５０：バネ部分
５１：支持部分
５２：前壁
５３：壁部分
５４：把持部分
５５：キャビティ
５６：キャビティ
５７：ギャップ
５８：カバー部品
５９：係合部分
６０：凹み
６１：矢印
６２：矢印
Ｓ１：ステップ
Ｓ２：ステップ
Ｓ３：ステップ
Ｓ４：ステップ
【図１】
0006332430.tif 000002
【図２】
0006332430.tif 000003
【図３】
0006332430.tif 000004
【図４】
0006332430.tif 000005
【図５】
0006332430.tif 000006
【図６】
0006332430.tif 000007
【図７】
0006332430.tif 000008
【図８】
0006332430.tif 000009
【図９】
0006332430.tif 000010
【図１０】
0006332430.tif 000011
【図１１】
0006332430.tif 000012